(57)【要約】  本発明は、サブフレーム設定方法、マクロ基地局、移動端末及び通信システムに関する。前記マクロ基地局中で使用するサブフレーム設定方法は、ミニ基地局から前記ミニ基地局の区域辺縁の移動端末が使用する主搬送波と副搬送波を指示する情報を受信するステップと、前記情報により、前記マクロ基地局が使用し、且つ前記副搬送波に対応する搬送波上にリミテッドブランクサブフレームを設定するステップと、を含む。前記リミテッドブランクサブフレームは、制御区域中で制御情報を伝送し、データ区域中で一部分の子搬送波のみがデータを伝送することができるサブフレームである。
2014503144.tif 000002
【特許請求の範囲】
【請求項１】
マクロ基地局中で使用するサブフレーム設定方法であり、前記方法は、
ミニ基地局から前記ミニ基地局の区域辺縁の移動端末が使用する主搬送波と副搬送波を指示する情報を受信するステップと、
前記情報により、前記マクロ基地局が使用し、且つ前記副搬送波に対応する搬送波上にリミテッドブランクサブフレームを設定するステップと、を含み、
前記リミテッドブランクサブフレームは、制御区域中で制御情報を伝送し、データ区域中で一部分の子搬送波のみがデータを伝送することができるサブフレームである、マクロ基地局中で使用するサブフレーム設定方法。
【請求項２】
前記ミニ基地局から受信した前記情報により、前記ミニ基地局の区域辺縁の移動端末が複数個の主搬送波を使用したかどうかを判断するステップと、
複数個の主搬送波を使用する場合、前記複数個の主搬送波中から一個又は複数個の主搬送波を選び出すステップと、
前記マクロ基地局が、選び出した前記一個又は複数個の主搬送波上の一部分のサブフレームをパーシャルブランクサブフレームに設定するステップと、をさらに含み、
前記パーシャルブランクサブフレームは、制御区域がほとんど制御情報を伝送せず、データ区域中の一部分の子搬送波のみがデータを伝送することができるサブフレームである、請求項１に記載の方法。
【請求項３】
前記マクロ基地局がビット図により前記リミテッドブランクサブフレームの配置情報を前記ミニ基地局に伝送する、請求項１に記載の方法。
【請求項４】
前記ビット図の長さが１０ビットであり、各ビットは１０ｍｓフレーム中の各サブフレームがリミテッドブランクサブフレームに配置されるかどうかをそれぞれ指定する、請求項３に記載の方法。
【請求項５】
前記マクロ基地局は、前記マクロ基地局が使用し、且つ前記主搬送波に対応する搬送波上にブランクサブフレームを設定するステップをさらに含み、
前記ブランクサブフレームは、制御区域とデータ区域がほとんど情報を伝送しないサブフレームである、請求項１に記載の方法。
【請求項６】
前記マクロ基地局は、設定した全部又は一部分のブランクサブフレームをパーシャルブランクサブフレームに設定するステップさらに含み、
前記パーシャルブランクサブフレームは、制御区域がほとんど制御情報を伝送せず、データ区域中の一部分の子搬送波のみがデータを伝送することができるサブフレームである、請求項５に記載の方法。
【請求項７】
前記ブランクサブフレームと前記リミテッドブランクサブフレームは、時間的に複数個のフレーム分離れている、請求項６に記載の方法。
【請求項８】
前記マクロ基地局は、前記副搬送波に対応する搬送波により前記パーシャルブランクサブフレームを調節する、請求項６に記載の方法。
【請求項９】
マクロ基地局中で使用するサブフレーム設定方法であり、前記方法は、
ミニ基地局から前記ミニ基地局の区域辺縁の移動端末が使用する主搬送波を指示する情報を受信するステップと、
前記情報により、前記マクロ基地局が使用し、且つ前記主搬送波に対応する搬送波上にブランクサブフレームを設定するステップと、
設定した全部又は一部分のブランクサブフレームをパーシャルブランクサブフレームに設定するステップと、を含み、
前記ブランクサブフレームは、制御区域とデータ区域がほとんど情報を伝送しないサブフレームであり、前記パーシャルブランクサブフレームは、制御区域がほとんど情報を伝送せず、データ区域中で一部分の子搬送波のみがデータを伝送することができるサブフレームである、マクロ基地局中で使用するサブフレーム設定方法。
【請求項１０】
前記マクロ基地局は、前記副搬送波により前記主搬送波のパーシャルブランクサブフレームを調節する、請求項９に記載の方法。
【請求項１１】
マクロ基地局中で使用するサブフレーム設定方法であり、前記方法は、
ミニ基地局から前記ミニ基地局の区域辺縁の移動端末が使用する主搬送波を指示する情報を受信するステップと、
前記情報により、前記ミニ基地局の区域辺縁の移動端末が複数個の主搬送波を使用したかどうかを判断するステップと、
前記ミニ基地局の区域辺縁の移動端末が複数個の主搬送波を使用したと判断する場合、前記複数個の主搬送波中から一個又は複数個の主搬送波を選び出すステップと、
前記マクロ基地局が使用し、且つ選び出された前記主搬送波に対応する搬送波上にブランクサブフレームを設定するステップと、を含み、
前記パーシャルブランクサブフレームは、制御区域がほとんど情報を伝送せず、データ区域中で一部分の子搬送波のみがデータを伝送することができるサブフレームである、マクロ基地局中で使用するサブフレーム設定方法。
【請求項１２】
一種のマクロ基地局であり、前記マクロ基地局は、
ミニ基地局から前記ミニ基地局の区域辺縁の移動端末が使用する主搬送波と副搬送波を指示する情報を受信する主搬送波情報受信ユニットと、
前記情報により、前記マクロ基地局が使用し、且つ前記副搬送波に対応する搬送波上にリミテッドブランクサブフレームを設定する副搬送波設定ユニットと、を含み、
前記リミテッドブランクサブフレームは、制御区域中で制御情報を伝送し、データ区域中で一部分の子搬送波のみがデータを伝送することができるサブフレームである、マクロ基地局。
【請求項１３】
前記マクロ基地局は、
前記ミニ基地局から受信した前記情報により、前記ミニ基地局の区域辺縁の移動端末が複数個の主搬送波を使用したかどうかを判断する判断ユニットと、
前記判断ユニットが前記ミニ基地局の区域辺縁の移動端末が複数個の主搬送波を使用したと判断する場合、前記複数個の主搬送波中から一個又は複数個の主搬送波を選び出す選択ユニットと、
前記選択ユニットが選び出した前記一個又は複数個の主搬送波上の一部分のサブフレームをパーシャルブランクサブフレームに設定する選び出した主搬送波設定ユニットと、をさらに含み、
前記パーシャルブランクサブフレームは、制御区域がほとんど制御情報を伝送せず、データ区域中の一部分の子搬送波がデータを伝送するサブフレームである、請求項１２に記載のマクロ基地局。
【請求項１４】
送信ユニットをさらに含み、前記送信ユニットは、１０ｍｓのビット図により前記リミテッドブランクサブフレームの配置情報を前記ミニ基地局に伝送する、請求項１２に記載のマクロ基地局。
【請求項１５】
前記マクロ基地局は、主搬送波設定ユニットをさらに含み、
前記主搬送波設定ユニットは、マクロ基地局が使用し、且つ前記主搬送波に対応する搬送波上にブランクサブフレームを設定し、
前記ブランクサブフレームは、制御区域とデータ区域がほとんど情報を伝送しないサブフレームである、請求項１２に記載のマクロ基地局。
【請求項１６】
前記主搬送波設定ユニットは、設定した全部又は一部分のブランクサブフレームをパーシャルブランクサブフレームに設定し、
前記パーシャルブランクサブフレームは、制御区域がほとんど制御情報を伝送せず、データ区域中の一部分の子搬送波のみがデータを伝送することができるサブフレームである、請求項１５に記載のマクロ基地局。
【請求項１７】
前記ブランクサブフレームと前記リミテッドブランクサブフレームは、時間的に複数個のフレーム分離れている、請求項１６に記載のマクロ基地局。
【請求項１８】
一種の移動端末であり、
前記移動端末は、フィードバックユニットを含み、
前記フィードバックユニットは、リミテッド対応ブランクサブフレームに対応するチャンネル品質情報をミニ基地局にフィードバックし、
前記リミテッド対応ブランクサブフレームは、制御区域で制御データをほとんど伝送せず、データ区域中で一部分の子搬送波のみがデータを伝送するサブフレームである、移動端末。
【請求項１９】
前記フィードバックユニットは、前記リミテッド対応ブランクサブフレームの伝送データに対応する子搬送波のチャンネル品質をミニ基地局のみにフィードバックする、請求項１８に記載の移動端末。
【請求項２０】
一種の通信システムであり、前記通信システムは、マクロ基地局と移動端末を含み、
前記マクロ基地局は、
ミニ基地局から主搬送波と副搬送波を指示する情報を受信する主搬送波情報受信ユニットと、
前記情報により、前記マクロ基地局が使用し、且つ前記副搬送波に対応する搬送波上にリミテッドブランクサブフレームを設定する副搬送波設定ユニットと、を含み、
前記リミテッドブランクサブフレームは、制御区域中で制御情報を伝送し、データ区域中で一部分の子搬送波のみがデータを伝送することができるサブフレームであり、
前記移動端末は、通信ユニットを含み、前記通信ユニットは、前記ミニ基地局の区域辺縁で前記主搬送波と前記副搬送波を使用して通信を行う、通信システム。
【発明の詳細な説明】
【技術分野】
【０００１】
本発明は、通信技術に関し、特にキャリアアグリゲーション（Carrier  Aggregation）技術に関する。
【背景技術】
【０００２】
３ＧＰＰであるロングタームエボリューションＬＴＥ（Long  term  evolution）は、伝統的なホモジニアスネットワーク（Homogeneous  network）を用い、且つセルラーシステムから構成されている。次世代の無線通信システムであるアドバンスト・ロングタームエボリューション（ＬＴＥ−Advanced）は、ヘテロジニアスネットワーク（Heterogeneous  network）を用いる。ＬＴＥ−Ａシステムは、マクロセル（Macro  Cell）、フェムトセル（Femto  Cell）、ピコセル（Pico  Cell）、リモートラジオヘッド（Remote  Radio  Head）、リレー（Relay）から構成される。新しい無線ノードを配置することにより、システムの容量を向上させ、特殊区域のユーザーによりよいサービスを提供すると共に、システムの性能を最適化（オプティマイゼーション）することができる。しかし、新配置したノードは、前に配置した区域のユーザーに干渉を与えるか、或いはホールを詰めてしまうので、セル間干渉制御技術（enhanced  Inter  Cell  Interference  Coordination、ｅＩＣＩＣ）を増強する方法によりシステムの性能を最適化しなければならない。図１は、ヘテロジニアスネットワーク中の干渉を示す簡略図である。図１に示す通り、典型的なマクロセル（Macro  Cell）の＋ミクロセル（本文の＋ミクロセルは、フェムトセル区域、ピコセル区域などを含む）のヘテロジニアスネットワークにおいて、図面の左側の矢印が示す通り、ミクロセル辺縁でミクロセルサービスを受けている移動端末がマクロセルからの下向き信号干渉を受けると共に、図面の右側の矢印が示す通り、マクロセルの移動端末もミクロセル移動端末からの上向き信号干渉を受ける。ミニ基地局のパワーが小さく、マクロ基地局のパワーが大きいので、ミクロセル辺縁でミクロセルサービスを受けている移動端末がマクロセルからの下向き信号干渉を受ける問題を重点に解決しなければならない。
【０００３】
ヘテロジニアスネットワークにおいてマクロセルからの下向き信号干渉を解決するため、ＬＴＥ−ＡにおいてオールモストブランクサブフレームＡＢＳ（Almost  blank  subframe、本文においてサブフレームとも言う）と言う方案を採用する。マクロセルで一部分のサブフレームを選択してＡＢＳサブフレームとし、これらのサブフレームは移動端末データ送信を調節するいずれの制御指令を送信せず、移動端末に対応するいずれのデータも送信しない。前記サブフレームは、必要する情報のみを送信する。例えば、通用するガイド信号ＧＲＳを送信する。ミクロセルは、ＡＢＳサブフレームの時間位置に応じて、ミクロセル中のユーザー設備（ＵＥ）データを制御する制御指令と対応するデータを送信することができる。これにより、マクロセルの干渉を抑制することができる。ＡＢＳが所在する位置は、マクロセルとミクロセルとの間のＸ２インターフェースによりインタラクティブし、且つインタラクティブする時に一個のビット図を採用する。図において、０（又は１）に対応する位置が慣用のサブフレームであり、１（又は０）に対応する位置がＡＢＳである。
【０００４】
また、ＬＴＥ−Ａ  Ｒｅｌ．１０において、キャリアアグリゲーション方式を採用する。即ち、Ｒｅｌ．８において、毎移動端末が上向き搬送波搬送波と下向き搬送波とを含む一対の搬送波にしか接続することができないが、Ｒｅｌ．１０において、毎物理区域は移動端末が同時に接続することができる複数の搬送波を提供する。接続する複数の上向き搬送波搬送波と下向き搬送波は、主搬送波と副搬送波に分類し、且つ一個の搬送波を主搬送波とし、他の搬送波を副搬送波とする。また、Ｒｅｌ．１０においては、移動端末のために搬送波を越して調節する方式も提供する。ある搬送波に配置されたある移動端末の資源、この資源上においてのデータ伝送モデルなどは、他の一個の搬送波の制御指令により調節することができる。
【発明の概要】
【発明が解決しようとする課題】
【０００５】
本発明において、キャリアアグリゲーションのヘテロジニアスネットワークを支える通信システムの干渉解消方案を提出する。前記方案は、Ｒｅｌ．１０中のＡＢＳ方案に基づいて複数個の搬送波上でミクロセル辺縁の移動端末に資源を分配する方法を提出する。本発明において、干渉を有効に解消するためマクロセルとミクロセルとの間でインタラクティブする情報も提出する。
【課題を解決するための手段】
【０００６】
本発明において、マクロ基地局中で使用するサブフレーム設定方法を提供する。前記方法は、ミニ基地局から前記ミニ基地局の区域辺縁の移動端末が使用する主搬送波と副搬送波を指示する情報を受信するステップと、前記情報により、前記マクロ基地局が使用し、且つ前記副搬送波に対応する搬送波上にリミテッドブランクサブフレームを設定するステップと、を含む。前記リミテッドブランクサブフレームは、制御区域中で制御情報を伝送し、データ区域中で一部分の子搬送波のみがデータを伝送することができるサブフレームである。
【０００７】
本発明において、マクロ基地局中で使用するサブフレーム設定方法を提供する。前記方法は、ミニ基地局から前記ミニ基地局が使用する主搬送波を指示する情報を受信するステップを受信するステップと、前記情報により、前記マクロ基地局が使用し、且つ前記主搬送波に対応する搬送波上にブランクサブフレームを設定するステップと、設定した全部又は一部分のブランクサブフレームをパーシャルブランクサブフレームに設定するステップと、を含む。前記ブランクサブフレームは、制御区域とデータ区域がほとんど情報を伝送しないサブフレームであり、前記パーシャルブランクサブフレームは、制御区域がほとんど情報を伝送せず、データ区域中で一部分の子搬送波のみがデータを伝送することができるサブフレームである。
【０００８】
本発明において、マクロ基地局中で使用するサブフレーム設定方法を提供する。前記方法は、ミニ基地局から前記ミニ基地局の区域辺縁の移動端末が使用する主搬送波を指示する情報を受信するステップと、前記情報により、前記ミニ基地局が複数個の主搬送波を使用したかどうかを判断するステップと、前記ミニ基地局が複数個の主搬送波を使用したと判断する場合、前記複数個の主搬送波中から一個又は複数個の主搬送波を選び出すステップと、前記マクロ基地局が使用し、且つ選び出された前記主搬送波に対応する搬送波上にブランクサブフレームを設定するステップと、を含む。前記パーシャルブランクサブフレームは、制御区域がほとんど情報を伝送せず、データ区域中で一部分の子搬送波のみがデータを伝送することができるサブフレームである。
【０００９】
本発明において、マクロ基地局を提供する。前記マクロ基地局は、ミニ基地局から前記ミニ基地局の区域辺縁の移動端末が使用する主搬送波と副搬送波を指示する情報を受信する主搬送波情報受信ユニットと、前記情報により、前記マクロ基地局が使用し、且つ前記副搬送波に対応する搬送波上にリミテッドブランクサブフレームを設定する副搬送波設定ユニットと、を含む。前記リミテッドブランクサブフレームは、制御区域中で制御情報を伝送し、データ区域中で一部分の子搬送波のみがデータを伝送することができるサブフレームである。
【００１０】
本発明において、移動端末を提供する。前記移動端末は、リミテッド対応ブランクサブフレームに対応するチャンネル品質情報をミニ基地局にフィードバックする。前記リミテッド対応ブランクサブフレームは、制御区域で制御データをほとんど伝送せず、データ区域中で一部分の子搬送波のみがデータを伝送するサブフレームである。
【００１１】
同様である方法、又は類似する方法により、ある一種の実施方式が紹介した特徴と／又は例示した特徴を一個又は複数個の実施方式に用いることができる。即ち、他の実施方式の特徴と組み合わせて用いるか、或いは他の実施方式の特徴の代わりに用いることができる。
【００１２】
本明細書において使用する「含む」、「備える」などのような用語は、前述する特徴、要件、ステップ又はモジュールの存在を示すが、一個又は複数個の特徴、要件、ステップ、モジュール又はこれらの組合をさらに含まないと限定するものではない。
【図面の簡単な説明】
【００１３】
以下の図面を参照すると、本発明の色々な特徴をより詳しく理解することができる。図面の部品は、比率によりかいたものではなく、本発明の原理を示すためのものである。本発明のある特徴をより詳しく説明するため、対応する図面の一部分を拡大又は縮小してかいた。本発明の一個の図面又は一種の実施方式中に記載されている要素及び特徴と、他の一個又は複数個の図面又は実施方式に記載されている要素及び特徴を組み合わせることができる。図面において、類似する符号により、複数個の図面中に記載されている各部品を示すと共に、複数の実施方式中で使用する各部品を示すことができる。
【図１】ヘテロジニアスネットワーク中の干渉を示す簡略図である。
【図２】本発明の第一実施方式に係るマクロ基地局で使用するサブフレーム設定方法を示す流れ図である。
【図３】リミテッドブランクサブフレームを示す図である。
【図４】本発明の第一実施方式の第一実施例に係る通信システム中のサブフレームの配置を示す図である。
【図５】図４（ａ）の主搬送波のＡＢＳ配置に対応するビット図を示す図である。
【図６】図４（ｂ）の副搬送波のリミテッドブランクサブフレーム配置に対応する１０ｍｓのビット図を示す図である。
【図７】本発明の第一実施方式の第二実施例に係る通信システムのサブフレームの配置を示す図である。
【図８】主搬送波上のＰＢＳの設定を伝送するビット図である。
【図９】本発明の第二実施方式に係るマクロ基地局で使用するサブフレームの設定方法を示す流れ図である。
【図１０】本発明の第二実施方式に係る通信システム中のサブフレーム配置を示す図である。
【図１１】本発明の第三実施方式に係るサブフレームの配置方法を示す図である。
【図１２】本発明の一実施方式に係るマクロ基地局を示すブロック図である。
【図１３】本発明の一実施方式に係るミニ基地局を示すブロック図である。
【図１４】本発明の実施方式のユーザー設備の例示として使用する携帯電話を示す図である。
【図１５】本発明の一実施方式に係るユーザー設備の構造を示す図である。
【発明を実施するための形態】
【００１４】
本発明の図面と以下の明細書とを参照すると、本発明の前述した特徴と他の特徴を容易に理解することができる。本発明の明細書と図面中には、本発明の特定実施方式が公開されている。本発明の特定実施方式は、本発明の原理を用いることができるすべての実施方式の一部に過ぎない。即ち、本発明は、後述する実施方式に限定されるものではない。本発明は、添付した請求の範囲が定めた範囲内において行うすべての変更例、変形例又は代替物を含んでいる。
【００１５】
第一実施方式
第一実施方式において、ミクロセル辺縁の移動端末を以下の二種類に分類する。
（１）ｆ１のみに接続することができる。説明を簡素化するため、ｆ１をこのような移動端末の主搬送波と言う。
（２）ｆ１とｆ２に接続することができ、且つこれらのＵＥを主搬送波がｆ１であり、副搬送波がｆ２であるモデルに配置する。
【００１６】
本文において説明を簡素化するため、ミニ基地局のミクロセル辺縁の移動端末（移動端末）の使用する主搬送波をミニ基地局の使用する主搬送波と言う場合もあり、ミニ基地局のミクロセル辺縁の移動端末（移動端末）の使用する副搬送波をミニ基地局の使用する副搬送波と言う場合もある。
【００１７】
第一実施方式は、一部分の搬送波（例えばｆ２）をただ副搬送波とし、主搬送波としない場合に適用する。
【００１８】
図２は、本発明の第一実施方式に係るマクロ基地局で使用するサブフレーム設定方法を示す流れ図である。
【００１９】
図２に示す通り、まず、ステップＳ２０１において、マクロ基地局がミニ基地局から副搬送波に関する情報を受信する。ミニ基地局から受信した副搬送波情報は、色々な種類がある。例えば、有線リンク又は無線リンクにより、ミニ基地局から直接受信したミクロセルで辺縁ＵＥの使用する副搬送波に関する情報であるか、或いはミニ基地局から受信したミクロセルで辺縁ＵＥの使用する主搬送波に関する情報である。受信した主搬送波の情報により副搬送波の情報を確定する。
【００２０】
次に、ステップＳ２０２において、マクロ基地局がマクロセルで使用する前記副搬送波に対応する搬送波を設定する。説明を簡素化するため、マクロセルで使用する前記副搬送波に対応する搬送波を副搬送波と言う（実際は、両者の周波数範囲が同様である）。本実施方式において、前記副搬送波上でリミテッドブランクサブフレームを設定する。
【００２１】
図３は、リミテッドブランクサブフレームを示す図である。本文において、前記リミテッドブランクサブフレームは、制御区域中で制御情報を伝送することができ、且つデーテ区域中で一部分の子搬送波のみがデータを伝送することができるサブフレームである
図面の暗影部分は、この暗影部分が伝送する情報を含めることを示す。即ち、マクロ基地局が、前記暗影部分が受信したマクロセルサービスのＵＥ伝送情報を使用する可能性がある。図３の（ａ）部分に示されているリミテッド搬送波の配置において、制御区域（制御チャンネル）＃１により、制御情報を伝送することができる。データ区域において、＃２部分は、マクロ基地局でデータ情報を伝送することができ、＃３部分は、マクロ基地局のデータ情報伝送に用いることができない。図３の（ｂ）部分に示されているリミテッド搬送波の配置において、制御区域（制御チャンネル）＃１により、制御情報を伝送することができる。データ区域において、データチャンネル＃３部分は、マクロ基地局のデータ情報伝送に用いることができ、データチャンネル＃２部分は、マクロ基地局のデータ情報伝送に用いることができない。データ情報を伝送することができる部分のサイズと位置は、より自由に設定することができる。
【００２２】
ステップＳ２０３において、マクロ基地局は、リミテッドブランクサブフレームの配置情報をミニ基地局に伝送する。リミテッドブランクサブフレームの配置情報は、リミテッドブランクサブフレームの位置（例えば、リミテッドブランクサブフレームの番号）、データを伝送することができるマクロ基地局のデータチャンネル範囲（例えば、図３の（ａ）部分中の＃２、又は（ｂ）部分中の＃３）と／又は、データを伝送しないマクロ基地局のデータチャンネル範囲（例えば、図３の（ａ）部分中の＃３、又は（ｂ）部分中の＃２）を含むことができる。リミテッド搬送波中のデータを伝送することができるマクロ基地局のデータチャンネル範囲（例えば、図３の（ａ）部分中の＃２、又は（ｂ）部分中の＃３）と／又は、データを伝送しないマクロ基地局のデータチャンネル範囲（例えば、図３の（ａ）部分中の＃３、又は（ｂ）部分中の＃２）において、マクロ基地局とミニ基地局との間に予め約定をすることにより、伝送する情報量を減少することができる。
【００２３】
ミニ基地局は、リミテッド搬送波中のデータを伝送しないマクロ基地局のデータチャンネルを使用して、ミクロセル中のＵＥにデータを送信することができる。この場合、区域辺縁の移動端末を優先に調節することができる。
【００２４】
図４は、本発明の第一実施方式の第一実施例に係る通信システム中のサブフレームの配置を示す図である。図４（ａ）は、マクロセル中のサブフレームの配置を示す図である。
【００２５】
図４（ａ）に示す通り、マクロ基地局において、ミニ基地局からの搬送波情報を受信した後、主搬送波及び副搬送波を設定する。具体的には、搬送波ｆ１（ミクロセルの区域辺縁の移動端末に対応する主搬送波）上において、既有のＡＢＳの配置方式により、あるサブフレームをＡＢＳに配置する。
【００２６】
主搬送波を設定すると共に、或いは主搬送波を設定した後、副搬送波を設定する。
【００２７】
具体的には、ｆ２（ミクロセルの区域辺縁の移動端末が使用する副搬送波に対応する）上において、あるサブフレームをミクロセルの区域辺縁の移動端末が調節するリミテッドブランクサブフレームとする。図面に示されている前記サブフレームの配置において、区域＃３は、ミクロセルの区域辺縁の移動端末が調節することができる資源である（即ち、この部分のデータチェンネルは、マクロ基地局が情報を送信することに用いられる）。この部分のサブフレームの位置は、マクロセルとミクロセルが例えばビットマップ（ｂｉｔｍａｐ）方式によりＸ２インターフェースを通してインタラクティブする必要がある。また、この部分のサブフレーム上の対応する資源区分もインタラクティブする必要がある。
【００２８】
ミクロセルの移動端末の上向き同期ＨＡＲＱの要求を満たすため、ＬＥＴ−Ａシステムは４０ｍｓ（４０個のサブフレームが４０ビットに対応する）のビットマップを採用する。４０ｍｓを採用する原因は、以下の通りである。ミクロセルの移動端末が上向きサブフレームｎ中でデータパケットを送信し、ミニ基地局が下向きサブフレームｎ＋４中で前記移動端末に応答信号ＡＣＫ／ＮＡＣＫを送信する時、応答信号がＮＡＣＫである場合、移動端末がサブフレームｎ＋８上でデータを再度送信する。再度送信したデータが依然として間違う時、サブフレームｎ＋８上でデータパケットを再度送信する。即ち、前述したステップを繰り返す。移動端末が正しい応答信号を受信することを確保するため、マクロセルのサブフレームｎ＋４、ｎ＋１２などをＡＢＳに配置する必要がある。前述したように繰り返すことにより、４０ｍｓが一回繰り返される。又、システムは、他のサブフレームもＡＢＳに配置することができる。
【００２９】
図５は、図４（ａ）の主搬送波のＡＢＳ配置に対応するビット図を示す図である。ミクロセルの区域辺縁の移動端末が搬送波を越して調節する方式に配置されているので、この部分の移動端末が上向き搬送波中でデータを送信した後、下向き主搬送波中で応答信号を送信する。従って、ミクロセル辺縁の移動端末に対応する副搬送波上において、４０ｍｓの時間に従ってリミテッドブランクサブフレームの位置をインタラクティブする必要がない。本発明において、１０ｍｓのビット図を採用して、副搬送波ｆ２上に設定されるリミテッドブランクサブフレームの配置情報を送信することが好ましい。１０ｍｓのビット図は、長さが１０ビットであるビット図を示し、各ビットは、１０ｍｓフレーム中の各サブフレームがリミテッドブランクサブフレームに配置されるかどうかをそれぞれ指定する。４０ｍｓのビット図は、長さが４０ビットであるビット図を示し、各ビットは、４０ｍｓフレーム中の各サブフレームがリミテッドブランクサブフレームに配置されるかどうかをそれぞれ指定する。図６は、図４（ａ）の副搬送波のリミテッドブランクサブフレーム配置に対応する１０ｍｓのビット図を示す図である。
【００３０】
ここで説明したいことは、図面に三個のブランクサブフレームと二個のリミテッドブランクサブフレームのみが示されているが、本発明がこのような技術に限定されるものではない。即ち、より多いか、或いはより少ないブランクサブフレームとリミテッドブランクサブフレームを設けることができる。
【００３１】
図４（ｂ）は、ミクロセル中のサブフレームの配置を示す図である。マクロ基地局からブランクサブフレームとリミテッドブランクサブフレームとの配置に関する情報を受信した後、マクロ基地局が搬送波を設定し、ｆ１上において、ＡＢＳに対応する区域辺縁の移動端末のみにデータを送信する。マクロ基地局を図４（ａ）に示すとおり配置する時、ｆ１中の第２個目、第７個目及び第１２個目のサブフレームをミクロセル辺縁の移動端末に与えることができる。ｆ２上のマクロセルにミクロセルの区域辺縁の移動端末に与えることができる周波位置（即ち、リミテッドブランクサブフレームに対応する区域＃３の位置）がある場合、この周波位置をミクロセルの区域辺縁の移動端末に与える。例えば、図４（ａ）に示されている場合、マクロ基地局がｆ２の第４個目と第１２個目のサブフレームの＃３部分をミクロセル辺縁の移動端末に与えることができる。
【００３２】
また、ミクロセルｆ２上のリミテッドブランクサブフレームに対応する区域＃３の位置において、ミクロセルの移動端末がマクロセルからの干渉を受けないので、この位置のミクロセルの移動端末のチャンネル品質と他の位置のチャンネル品質が遥かに異なっている。従って、ｆ２上のサブフレームを次の通り二種のサブフレームに分類する。
（１）第一類のサブフレームは、常に使用するサブフレームである。
（２）第二類のサブフレームは、リミテッドブランクサブフレームに対応するサブフレームである。このようなサブフレームは、リミテッド対応ブランクサブフレームとも言い、且つ以下のようなサブフレームである。マクロ基地局がｆ２上に設定したリミテッドブランクサブフレームのブランクデータ区域（例えば、図４（ａ）において＃３部分）に対応する部分は、データを伝送するが、リミテッドブランクサブフレームの不空区域（例えば、図４（ａ）において＃１と＃２部分）に対応する部分は、ほとんどデータを伝送しない。
【００３３】
好ましい実施方式において、ミクロセル辺縁の移動端末は、前記二種のサブフレームのチャンネル品質をフィードバックする。高層（物理的層構造の上層、例えばＲＲＣ層）は、現在のある移動端末がある種類のサブフレームのチャンネル品質をフィードバックするように決定する。例えば、第二類のサブフレームのチャンネル品質をフィードバックする場合、対応区域＃３のチャンネル品質のみをフィードバックすることが好ましい。前記チャンネル品質は、チャンネル品質情報（ＣＱＩ）、プリコードマトリクス情報（ＰＭＩ）、リング情報（ＲＩ）であることができる。
【００３４】
好ましい実施方式において、ミクロセル辺縁の移動端末は、搬送波を越して調節する方式に配置される。即ち、ミニ基地局が主搬送波ｆ１により副搬送波ｆ２上のデータを調節する。
【００３５】
本発明の実施方式により、ミクロセル辺縁の移動端末の干渉を減少又は解消することができ、ミクロセルの調節敏捷性を向上させると共に、マクロ基地局の改変を抑制することができる。
【００３６】
図７は、本発明の第一実施方式の第二実施例に係る通信システムのサブフレームの配置を示す図である。図７（ａ）は、マクロセル中のサブフレームの配置を示す図である。
【００３７】
図７（ａ）に示す通り、マクロ基地局において、ミニ基地局からの搬送波情報を受信した後、主搬送波及び副搬送波を設定する。具体的には、搬送波ｆ１（ミクロセルの区域辺縁の移動端末が使用する主搬送波に対応する）上において、既有のＡＢＳの配置方式によりあるサブフレームをＡＢＳに配置する。次に、全部又は一部分のＡＢＳをさらにパーシャルブランクサブフレームＰＢＳ（partial  blank  subframe）に配置する。従って、本発明の第二実施例により、設定したパーシャルブランクサブフレームがＡＢＳの部分集合になる。本発明において、パーシャルブランクサブフレームは、制御区域がほとんど情報を伝送せず、データ区域の一部分の子搬送波が伝送したデータのサブフレームを示す。図７（ａ）に示すとおり、一部分のブランクサブフレームＰＢＳの時間周波数資源（例えば、図面の暗影部分が示す＃２）は、マクロセル中において、主搬送波がｆ２であり、副搬送波ｆ１である移動端末を制御することができる。本発明の一実施方式のＰＢＳにおいて、制御部分＃１がほとんど制御信号を伝送しない（一部分のパイロット周波数のみを伝送する）ので、マクロセルにおいて、マクロ基地局がｆ２に対するｆ１上の前記データ区域＃２により調節を行うことができる。即ち、搬送波を越して調節するＣＣＳ方式を採用する。
【００３８】
ＰＢＳを設定することにより、マクロセルの調節敏捷性を向上させると共に、周波数スペクトルの利用効率を向上させることができる。且つ、ＰＢＳの位置をＡＢＳ位置の部分集合に設定することにより、マクロセルとミクロセルとの間の情報伝送量を減少することができる。
【００３９】
図８は、ｆ１上のＰＢＳの設定を伝送するビット図である。図８のビット図と図５のビット図を組み合わせて使用する。即ち、図５のＡＢＳ配置により、図７ａに示す通り毎三個のＡＢＳ中に二個のＰＢＳを設定する場合、まず通常の４０ｍｓのビット図を伝送してＡＢＳの位置を指示し、その次又はそれと共に３ｍｓのビット図を伝送してＰＢＳの位置を指示する。ＰＢＳがＡＢＳの部分集合であるので、ミニ基地局が３ｍｓのビット図によりＰＢＳの位置を確定する。
【００４０】
主搬送波を設定すると共に、主搬送波を設定する前、或いは主搬送波を設定した後、マクロ基地局が副搬送波を設定することができる。
【００４１】
具体的には、搬送波ｆ２（ミクロセルの区域辺縁の移動端末が使用する副搬送波に対応する）上において、一部分のサブフレームをミクロセルの区域辺縁の移動端末が調節するリミテッドブランクサブフレームに配置することができる。図面に示されているこの部分のサブフレームの配置において、区域＃３は、ミクロセルの区域辺縁の移動端末が調節することができる資源である（即ち、この部分のデータチェンネルは、マクロ基地局が情報を送信することに用いられる）。この部分のサブフレームの位置は、マクロセルとミクロセルが例えばビットマップ（ｂｉｔｍａｐ）方式によりＸ２インターフェースを通してインタラクティブする必要がある。また、この部分のサブフレーム上の対応する資源区分もインタラクティブする必要がある。
【００４２】
ここで説明したいことは、図面に三個のブランクサブフレームと二個のリミテッドブランクサブフレームのみが示されているが、本発明がこのような技術に限定されるものではない。即ち、より多いか、或いはより少ないブランクサブフレームとリミテッドブランクサブフレームを設けることができる。
【００４３】
図７（ｂ）は、ミクロセル中のサブフレームの配置を示す図である。ｆ１上において、ＡＢＳ又はＰＢＳの位置に対応する区域辺縁の移動端末のみにデータを送信し、且つデータ送信の位置とマクロセルのデータ送信の位置が衝突しない。図７（ｂ）に示す通り、マクロセルＰＢＳに対応するサブフレーム中において、区域＃２は、区域辺縁の移動端末を調節することができず、区域中心の移動端末のみを調節することができるが、区域＃３は、区域辺縁と区域中心の移動端末を調節することができる。
【００４４】
ｆ２上において、対応マクロセルでミクロセルの区域辺縁の移動端末が調節することができる時間周波数位置（例えば、リミテッドブランクサブフレームの区域＃３に対応する位置）をミクロセルの区域辺縁の移動端末に与える。例えば、マクロセル中において、サブフレームが図７（ａ）の通りに配置される場合、ｆ２の第４個目と第１２個目のサブフレームの＃３部分をミクロセル辺縁の移動端末に与えることができる。
【００４５】
好ましい実施方式において、前述した移動端末は、搬送波を越して調節する方式に配置される。即ち、ミニ基地局が主搬送波ｆ１により副搬送波ｆ２上のデータを調節する。
【００４６】
第二実施方式
第二実施方式において、ミクロセル辺縁のユーザーを以下の四種類に分類する。
（１）ｆ１のみに接続することができる。説明を簡素化するため、ｆ１をこのような移動端末の主搬送波と言う。
（２）ｆ２のみに接続することができる。説明を簡素化するため、ｆ２をこのような移動端末の主搬送波と言う。
（３）ｆ１とｆ２に接続することができ、且つこれらのＵＥを主搬送波がｆ１であり、副搬送波がｆ２であるモデルに配置する。
（４）ｆ１とｆ２に接続することができ、且つこれらのＵＥを主搬送波がｆ２であり、副搬送波がｆ１であるモデルに配置する。
【００４７】
第二実施方式は、ミクロセル中に主搬送波とすることができる少なくとも二個の搬送波が存在する場合に適用する。
【００４８】
図９は、本発明の第二実施方式に係るマクロ基地局で使用するサブフレームの設定方法を示す流れ図である。
【００４９】
図９に示す通り、まず、ステップＳ９０１において、マクロ基地局がミニ基地局から主搬送波に関する情報を受信する。
【００５０】
次に、ステップＳ９０２において、ミクロセルの区域辺縁の移動端末が異なる主搬送波を配置したか判断する。
【００５１】
ステップＳ９０２において、ミクロセルの区域辺縁の移動端末が同様な一個の主搬送波を配置した（即ち、ただ一個の主搬送波のみが存在する）と判断する場合、エンドとして処理する。ほか、ステップＳ９０２において、区域辺縁の移動端末が異なる主搬送波を配置したと判断する場合、ステップＳ９０３において、マクロ基地局が前記複数個の主搬送波中から一個又は複数個の主搬送波を選び出す。好ましくは、主搬送波とすると共に、副搬送波とすることができる搬送波を選び出す。このような搬送波が複数個存在する場合、置かれる所の周波数範囲の上昇順位又は降下順位により一個又は複数個の主搬送波を選び出すか、或いはランダムに一個又は複数個の主搬送波を選び出すことができる。
【００５２】
次に、ステップＳ９０４において、マクロセルで使用し、且つ選び出した主搬送波に対応する搬送波を設定する。説明を簡素化するため、マクロセルで使用し、且つ主搬送波に対応する搬送波も主搬送波と言う（実際は、両者の周波数範囲も確かに同様である）。本実施方式において、前記副搬送波にパーシャルブランクサブフレームのみを設定し、ブランクサブフレームを設定しない。
【００５３】
最後、ステップＳ９０５において、マクロ基地局が選び出した主搬送波にパーシャルブランクサブフレームを設定した配置情報をミニ基地局に伝送する。配置情報は、前記パーシャルブランクサブフレームの位置（例えば、サブフレームの番号）、マクロ基地局がデータを伝送することができるデータチャンネル範囲と／又はマクロ基地局がデータを伝送することができないデータチャンネル範囲を含むことができる。
【００５４】
ミニ基地局は、パーシャルブランクサブフレーム中でマクロ基地局がデータを伝送しないデータチャンネル範囲を使用して、ミクロセル中の辺縁区域にＵＥにデータを送信することができる。
【００５５】
図１０は、本発明の第二実施方式に係る通信システム中のサブフレームの配置を示す図である。図１０（ａ）は、マクロセル中のサブフレームの配置を示す図である。
【００５６】
図１０（ａ）に示す場合、ｆ２が選択された主搬送波である。ｆ１の設定は、図７（ａ）の場合と同様であるので、ここでは再び説明しない。ｆ２は、一部分のサブフレームをパーシャルブランクサブフレームＰＢＳに設定する
本実施方式において、ｆ１を設定する時、ブランクサブフレームを設定すると共に、パーシャルブランクサブフレームを設定したが、本発明がこのような技術に限定されるものではない。例えば、図４（ａ）に示す通り、ｆ１中にパーシャルブランクサブフレームを設定せず、ただ一部分のサブフレームをブランクサブフレームに設定することができる。
【００５７】
マクロセルｆ１上のＡＢＳ／ＰＢＳとｆ２上のＰＢＳを独立に配置する場合、搬送波を越して調節するため、ｆ２上のＰＢＳとｆ１上のＡＢＳ／ＰＢＳとが重ならないよう設定する。即ち、ｆ１上のＰＢＳとｆ２上のＰＢＳとが対応する位置に、ＡＢＳ／ＰＢＳを設定することができない。
【００５８】
また、ｆ１／ｆ２上のパーシャルブランクサブフレームの位置は、ｆ２／ｆ１上のパーシャルブランクサブフレームの位置に１つの偏移量を加えることにより得ることができる。この場合、マクロセルとミクロセルは、まずある搬送波上のパーシャルブランクサブフレームの位置をインタラクティブする。次は、他の一個の搬送波のパーシャルブランクサブフレームの位置を得ることに必要する偏移量をインタラクティブする。
【００５９】
図１０（ａ）に示す通り、マクロセルにおいて、搬送波ｆ１上のサブフレームがＰＢＳであり、搬送波ｆ２上の対応するサブフレームが普通のサブフレームである場合、前記ＰＢＳによりマクロセル中の主搬送波がｆ２であり、副搬送波がｆ１である移動端末を調節することができる。且つ、移動端末が搬送波を越して調節する方式に配置された場合、この部分の資源の調節は、図１０（ａ）中のｆ１上のＰＢＳの資源＃２の調節と同様である。搬送波ｆ２上のサブフレームがＰＢＳであり、搬送波ｆ１上の対応するサブフレームが普通のサブフレームである場合、前記ＰＢＳによりマクロセル中の主搬送波がｆ１であり、副搬送波がｆ２である移動端末を調節することができる。且つ、移動端末が搬送波を越して調節する方式に配置された場合、この部分の資源の調節は、ｆ２上のＰＢＳの資源＃２の調節と同様である。
【００６０】
図１０（ｂ）は、ミクロセル中のサブフレームの配置を示す図である。搬送波ｆ１及びｆ２がマクロセルのＡＢＳ及びＰＢＳサブフレームに対応する時、区域辺縁の移動端末を調節することができる。対応するマクロセルＰＢＳのサブフレームにおいて、区域＃２中では区域中心の移動端末のデータ送信のみを調節することができ、区域＃３中では区域辺縁と区域中心の移動端末のデータ送信を調節することができる。
【００６１】
前述した内容において、説明を簡素化するため、二個の搬送波を有するシステムを例として説明したが、本発明の各実施方式は、より多い搬送波を有するシステムにも応用することができる。また、本発明の第一実施方式と第二実施方式を組み合わせることもできる。
【００６２】
図１１は、本発明の第三実施方式に係るサブフレームの配置方法を示す図である。
【００６３】
図１１に示す通り、ミクロセル辺縁の複数個のＵＥが二個又はより多い主搬送波を使用する共に、一個又はより多い副搬送波を使用する場合、選び出した主搬送波上にパーシャルブランクサブフレームを設定し（ステップＳ９０１〜Ｓ９０４に示す通りである）、副搬送波上にリミテッドブランクサブフレームを設定すると共に、設定したパーシャルブランクサブフレームとリミテッドブランクサブフレームの配置情報をミニ基地局に送信することができる（ステップＳ１１０１〜Ｓ１１０２に示す通りである）。
【００６４】
選び出さない主搬送波は、図４（ａ）に示す通り、ブランクサブフレームを設定するか、図４（ａ）に示す通り、ブランクサブフレームを設定すると共に、パーシャルブランクサブフレームを設定することができる。
【００６５】
図１２は、本発明の一実施方式に係るマクロ基地局を示すブロック図である。図１２に示す通り、本発明に係るマクロ基地局は、情報受信ユニット１２０１と、判断ユニット１２０２と、選択ユニット１２０３と、副搬送波設定ユニット１２０４と、選び出した主搬送波設定ユニット１２０５と、主搬送波設定ユニット１２０６と、配置情報送信ユニット１２０７とを含む。
【００６６】
情報受信ユニット１２０１は、ミクロセルの辺縁部分のＵＥが使用する主搬送波と副搬送波の情報をミニ基地局から受信する。判断ユニット１２０２は、受信した情報により複数個の主搬送波が存在するかどうか判断する。複数個の主搬送波が存在する場合、選択ユニット１２０３が複数の主搬送波から一個又は複数個の主搬送波を選び出す。選び出した主搬送波設定ユニット１２０５は、選び出した主搬送波を設定する。即ち、選び出した主搬送波上にパーシャルブランクサブフレームを設定する。同時又はその後、副搬送波設定ユニット１２０４は、副搬送波上にリミテッドブランクサブフレームを設定する。主搬送波設定ユニット１２０６は、主搬送波上にブランクサブフレームと／又はパーシャルブランクサブフレームを設定する。配置情報送信ユニット１２０７は、主搬送波上に設定したブランクサブフレームと／又はパーシャルブランクサブフレームの配置情報と、選び出した主搬送波上に設定したパーシャルブランクサブフレームの配置情報と、副搬送波上に設定したリミテッドブランクサブフレームの配置情報とをミニ基地局に送信する。
【００６７】
本実施方式において、前述した一部分のユニットを省略することができる。例えば、判断ユニット１２０２、選択ユニット１２０３、選び出した主搬送波設定ユニット１２０５を省略することができる。この場合、主搬送波設定ユニット１２０６がすべての主搬送波を設定する。
【００６８】
他の実施方式において、（副搬送波設定ユニットは）副搬送波上にブランクサブフレームと／又はパーシャルブランクサブフレームをさらに設定することができる。
【００６９】
図１３は、本発明の一実施方式に係るミニ基地局を示すブロック図である。
【００７０】
図１３に示す通り、本発明の一実施方式に係るミニ基地局は、主／副搬送波情報受信ユニット１３０１と、情報送信ユニット１３０２と、配置情報受信ユニット１３０３と、調節ユニット１３０４とを含む。
【００７１】
主／副搬送波情報受信ユニット１３０１は、ミニ基地局がサービスをするミクロセル中において、辺縁区域のＵＥが使用する主搬送波と副搬送波の情報を集める。情報送信ユニット１３０２は、主／副搬送波情報受信ユニット１３０１が集めた主搬送波と副搬送波の情報をマクロ基地局に送信する。他の実施方式において、前記情報を整理した後、マクロ基地局に送信することができる。配置情報受信ユニット１３０３は、マクロ基地局から主搬送波上に設定したサブフレームと／又はパーシャルブランクサブフレームの情報と、選び出した子搬送波上に設定したパーシャルブランクサブフレームの設定情報と、副搬送波上に設定したリミテッドブランクサブフレームの設定情報とを集める。調節ユニット１３０４は、ミニ基地局の資源を調節する。
【００７２】
図１４は、本発明の実施方式のユーザー設備の例示として使用する携帯電話を示す図である。図１４に示す通り、携帯電話１０は、展開位置と折畳み位置との間で回転する回転蓋体１５を含む折り畳み式携帯電話であることができる。図１４には、回転蓋体１５が展開状態になった携帯電話が示されている。前記携帯電話１０は、他の構造を有する携帯電話であることもできる。例えば、ストレート式携帯電話、又はスライド式携帯電話である。
【００７３】
携帯電話１０は、表示装置１４を含む。表示装置１４は、操作状態、時間、電話番号、連絡先情報、各種のメニューなどに関する情報を表示して、ユーザーが電子設備１０の各特長を把握するようにする。表示装置１４は、電子設備１０が受信した内容と／又は携帯電話のメモリ（図示せず）から検出した内容を表示することもできる。表示装置１４は、画像、ビデオ、他の図形、例えば写真、移動テレビナイト及びゲームに関するビデオなどをユーザーに表示することができる。
【００７４】
キーボード１８は、ユーザーに色々な入力方式を提供する。例えば、キーボード１８は、字母数字情報（例えば、電話番号、連絡先一覧、連絡先情報、メモ帳、本文など）を入力するための字母数字ボタンを含むことができる。また、キーボード１８は、特定機能ボタン１７、例えば電話を掛けるか或いは電話に出る「ダイヤルボタン」、電話を切るか或いは電話を拒否する「ＥＮＤボタン」を含むことができる。特定機能ボタン１７は、表示装置１４に示されているメニューをガイドするメニューガイドボタン及び選択ボタンを含むこともできる。例えば、設備と／ガイドボタンによりユーザーからの方向性入力を受信ことができる。表示装置１４とキーボード１８との組合によりソフトの機能を実現することができる。携帯電話１０は、アンテナ、ミニ制御器、スピーカー５０、マイク５２などのような各自の機能を実現するための部品をさらに含むことができる。
【００７５】
図１５は、本発明の一実施方式に係るユーザー設備の構造を示す図である。図１５に示す通り、本発明の一実施方式に係るユーザー設備は、フィードバックユニット１５０１と、通信ユニット１５０２を含む。前記フィードバックユニット１５０１は、チャンネル推測ユニットと送信ユニットを含む。通信ユニット１５０２は、ミニ基地局の区域辺縁でミニ基地局のサービスを受ける時、主搬送波と副搬送波を利用してミニ基地局と通信する。
【００７６】
本発明において、前記ユーザー設備（移動端末とも言う）がミクロセルの辺縁にある時、リミテッド対応ブランクサブフレームに対応するチャンネル品質情報をミニ基地局にフィードバックする。前記リミテッド対応ブランクサブフレームは、以下のようなサブフレームである。即ち、制御区域中で制御データをほとんど伝送せず、データ区域中で一部分の子搬送波のみがデータを伝送するサブフレームである。リミテッド対応ブランクサブフレームは、ミニ基地局で使用するサブフレームであり、マクロ基地局で使用するリミテッドブランクサブフレームに対応する。この場合、移動端末ＵＥのフィードバックユニット１５０１中のチャンネル推測ユニットがリミテッド対応ブランクサブフレームのチャンネル品質を推測し、フィードバックユニット１５０１中の送信ユニットがリミテッド対応ブランクサブフレームのチャンネル品質を基地局に送信する。
【００７７】
好ましい実施方式において、前記ユーザー設備は、前記リミテッド対応ブランクサブフレームに対応する伝送データの子搬送波のチャンネル品質をミニ基地局のみに伝送する。例えば、マクロ基地局がｆ２を図４（ａ）の通りに設定し、ミニ基地局からのフレームの＃３のみがデータを伝送する場合、移動端末ＵＥのフィードバックユニット中のチャンネル推測ユニットが＃３部分のチャンネル品質のみを推測し、且つフィードバックユニット中の送信ユニットが＃３部分のチャンネル品質を基地局のみに送信する。ここにおいて、前記フレームをミクロセル中央にあるユーザー設備に与えても、ミクロセル辺縁にあるユーザー設備も前記フレームのチャンネル品質を推測し、フィードバックすることができる。
【００７８】
前述した部分において、説明を簡素化するため、送信ユニットと通信ユニットを別々に示したが、他の実施方式において、送信ユニットが通信ユニットの一部分になることができる。
【００７９】
本発明の技術用語は、本発明を詳細に説明するためのものであり、本発明を限定するものではない。また、本発明の技術用語は、本技術領域の技術者が本技術領域で実際に使用する状況を解釈するものであり、ただ文字の意味だけによって得た理想的な状況を解釈するものではない。例えば、本発明のブランクサブフレームをいずれの情報も送信しないフレームであると解釈してはいけない。
【００８０】
前述した本発明の装置及び方法は、ハードウェアにより実現するか、或いはハードウェアとソフトウェアの組合により実現することができる。本発明は、以下のようなロジック装置が読取可能なプログラムに係る。即ち、ロジック装置により実行されるプログラムは、ロジック装置が前述した装置又は構成部品の機能を実現するか、或いはロジック装置が前述した各方法又はステップの機能を実現するようにする。ロジック装置は、例えばフィールドプログラマブルロジック装置、マイクロ処理装置、コンピューターに使用される処理装置などである。本発明は、前述したプログラムが記憶されているメモリ媒介にも係る。例えば、ハードディスク、磁気ディスク、コンパクトディスク、ＤＶＤ、ｆｌａｓｈ、磁気コンパクトディスク、メモリカード、メモリースティックなどである。
【００８１】
以上、これらの発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【符号の説明】
【００８２】
１２０１  情報受信ユニット
１２０２  判断ユニット
１２０３  選択ユニット
１２０４  副搬送波設定ユニット
１２０５  選び出した主搬送波設定ユニット
１２０６  主搬送波設定ユニット
１２０７  配置情報送信ユニット
１３０１  主／副搬送波情報受信ユニット
１３０２  情報送信ユニット
１３０３  配置情報受信ユニット
１３０４  調節ユニット
１５０１  フィードバックユニット
１５０２  通信ユニット
【図１】
2014503144.tif 000003
【図２】
2014503144.tif 000004
【図３】
2014503144.tif 000005
【図４】
2014503144.tif 000006
【図５】
2014503144.tif 000007
【図６】
2014503144.tif 000008
【図７】
2014503144.tif 000009
【図８】
2014503144.tif 000010
【図９】
2014503144.tif 000011
【図１０】
2014503144.tif 000012
【図１１】
2014503144.tif 000013
【図１２】
2014503144.tif 000014
【図１３】
2014503144.tif 000015
【図１４】
2014503144.tif 000016
【図１５】
2014503144.tif 000017
【国際調査報告】
2014503144.tif 000018
2014503144.tif 000019
2014503144.tif 000020
2014503144.tif 000021